(57)【特許請求の範囲】
【請求項１】
車体に設けられたルームランプサポートブラケットに、ルームランプに設けた複数のフックを以て天井内張りに形成された開口部を介し係止させるようにしたルームランプの取付構造であって、
前記複数のフックは、前記天井内張りの開口部に遊嵌状態となるように係止保持可能に形成されると共に、前記ルームランプサポートブラケットに前記複数のフックを係合させた状態においては前記ルームランプと前記ルームランプサポートブラケットとにより、前記天井内張りが挟持可能に支持される
ことを特徴とするルームランプの取付構造。
以  上
【発明の詳細な説明】
【０００１】
【発明の属する技術分野】
本発明は、ルームランプの取付構造に関する。
【０００２】
【従来の技術】
車両のルームランプの取付構造としては、例えば、特開平６−６５０９３号公報のように、外周にフランジ状部を有し成形天井の下側からランプ取付孔に挿入されるランプボデイの側部に、成形天井の裏面側でブラケットの一端側の係止部を係合させて成形天井を挟持し、他端側のクリップ部をルーフの内面側に取り付けられたルーフボウの下側から当該ルーフボウの係合孔に挿入させて係合支持するようにしたものがある。
【０００３】
【発明が解決しようとする課題】
しかしながら、上記従来例では、ランプボデイのフランジ状部とランプボデイ側部に係合されるブラケットの一側端である係止部とにより成形天井を挟持する構造であるために、成形天井の保持剛性が低いという問題がある。また、ランプボデイによる成形天井の保持剛性が低いために取付時にこれら両者間に横ずれが発生しやすく、成形天井の表皮に傷が付きやすい。更に、ルーフボウにランプボデイを係止するためのブラケットを必要とし、部品点数が多くなる等の問題もある。
【０００４】
このため、本発明は、天井内張りにルームランプを仮止め保持し、天井内張りの車体への組付操作に合わせてルームランプの車体に対する装着位置の位置決めが可能で、保持剛性も確保できるようにしたルームランプの取付構造を提供することを目的とする。
【０００５】
【課題を解決するための手段】
上記目的を達成するため、本発明の請求項１では、ルームランプは、各フックが天井内張りに遊嵌された状態で当該天井内張りに係止保持される。ルームランプは、天井内張りを車体に組み付けると車体への装着位置が位置決めされる。この状態でルームランプの各フックをルームランプサポートブラケットに係合させる。ルームランプは、ルームランプサポートブラケットに係合保持されると共に当該ルームランプサポートブラケットと協働して天井内張りを挟持し、保持する。これによりルームランプサポートブラケットに天井内張りとルームランプを簡単に取り付けることが可能となり、且つ保持剛性も確保できる。
【０００６】
【発明の実施の形態】
以下、図面を参照して本発明の好適な実施例を例示的に詳しく説明する。
【０００７】
図１は、本発明の実施形態としてルームランプの取付構造を適用した車両前部のルーフパネルへの天井内張りの取付状態を示す断面図である。図１において、ルーフパネル１は、前端のフランジ１ａがルーフレール２の前端のフランジ２ａに溶着されており、ルーフレール２の後端のフランジ２ｂは、ループパネル１の裏面に接着されている。ルーフパネル１のフランジ１ａとルーフレール２のフランジ２ａの溶着部にはウエザストリップ３を介してウインドシールドガラス４の上端が固定されている。そして、ルーフレール２の後部の段差部２ｃにルームランプサポートブラケット５の前端５ｃがタッピングスクリュウ６により螺着固定されている。
【０００８】
ルームランプサポートブラケット５には、成形天井内張り（以下「天井内張り」という）７を挟持してルームランプ８が装着されている。周知のように成形天井内張りは、表皮部材、パッド部材及び基材を積層し、これを素材としてルーフ面に沿った形状に成形したもので、サンバイザ、ルームミラー、アシストグリップ、ルームランプ、ルーフコンソール等との共締めと、端部での取付のみで保持し、接着剤を使用しない。
【０００９】
図２は、図１に示すルームランプサポートブラケット５とルームランプ８の組立斜視図を示す。ルームランプサポートブラケット５は、下方が開口するカップ状をなし、収納部５ａの開口端周縁には全周に亘り天井内張り７への当接部としてのフランジ５ｂが設けられており、当該フランジ５ｂの前側部は、図１に示すように上方に略逆Ｌ形に折曲され、先端５ｃがルーフレール２の段差部２ｃに螺着固定される。図２及び図３に示すように収納部５ａの前壁５ｄ及び後壁５ｅには、係止部５ｆ、５ｆ及び５ｇ、５ｇが内方に略直角に切り起こし成形により形成されている。これらの係止部５ｆ、５ｇは、フランジ５ｂと段差ｈをなして設けられている。このルームランプサポートブラケット５は、板金製とされている。
【００１０】
図２及び図４に示すようにルームランプ８は、本体部８ａとレンズ８ｂから成り、本体部８ａには図示しないランプが収納されている。これらの本体部８ａ及びレンズ８ｂは、樹脂部材により形成されている。レンズ８ｂは、周縁部８ｃが全周に亘りフランジ状に張り出し、端面８ｃ’が本体部８ａ側に略直角に迫り上がった形状をなしている。周縁部８ｃには、本体部８ａの前壁８ｄ及び後壁８ｅから僅かに離隔してルームランプサポートブラケット５の前壁５ｄ及び後壁５ｅに形成された係止部５ｆ、５ｆ及び５ｇ、５ｇと係合可能なフック８ｆ、８ｆ及び８ｇ、８ｇが突設されて一体に形成されている。これらのフッ８ｆ、８ｇは、樹脂部材で形成されていることで脚部が湾曲可能とされている。また、ルームランプ８は、フックを４箇所設けることで型構造を簡素化することが出来る。
【００１１】
ルームランプ８は、本体部８ａ及び前後のフック８ｆ、８ｇがルームランプサポートブラケット５の収納部５ａ内に収納され、且つフック８ｆ、８ｇが対応する係止部５ｆ、５ｇと係合可能とされる。各フック８ｆ、８ｇは、周縁部８ｃの端面８ｃ’から係止部８ｆ’、８ｇ’までの高さ（距離）ｈ’が天井内張り７の厚みｄよりも大きく、且つこの厚みｄと係止部５ｆ、５ｇのフランジ５ｂからの高さｈとの和（ｄ＋ｈ）よりも僅かに小さく（ｄ＜ｈ’＜ｄ＋ｈ）、後述するように当該天井内張り７を僅かに圧縮した状態でルームランプサポートブラケット５の対応する係止部５ｆ、５ｇと係合可能とされている。
【００１２】
図４に示すように天井内張り７は、ルームランプ８の取付孔７ａが穿設されており、ルームランプ８は、前後の各フック８ｆ、８ｇを本体部８ａ側に僅かに湾曲させた状態で本体部８ａ及び各フック８ｆ、８ｇが挿通可能とされている。これにより、ルームランプ８は、天井内張り７に当該天井内張り７の厚み方向に隙間を存して仮止め保持される。そして、ルームランプ８は、天井内張り７の裏面に配線されているハーネス（図示せず）に接続されてサブアセンブリされる。
【００１３】
天井内張り７は、前述したようにサンバイザ、ルームミラー、アシストグリップ、ルーフコンソール等によりルーフパネル１の内側に組み付けされ、図５に示すようにルームランプ８は、ルームランプサポートブラケット５に対する位置決めがなされる。即ち、ルームランプ８は、天井内張り７の車体への取り付け操作に合わせて車体への装着位置が略自動的に位置決め設定される。
【００１４】
作業者は、この状態で天井内張り７の取付孔７ａの周縁部をルームランプサポートブラケット５のフランジ５ｂに当接すると共に収納部５ａにルームランプ８の本体部８ａ及び前後の各フック８ｆ、８ｇを挿入し、レンズ８ｂの周縁部８ｃ近傍を押してフック８ｆ、８ｇを押し込む。このとき、ルームランプ８は、各フック８ｆ、８ｇの先端が傾斜面とされていることで、各係止部５ｆ、５ｇの先端に略均等に当たりセンタリングされる。また、ルームランプ８は、天井内張り７へのサブアセンブリを４個のフック８ｆ、８ｆ、８ｇ、８ｇにより４箇所で行なわれているため、ルームランプサポートブラケット５への取付時におけるバランスがよい。ルームランプ８が押し込まれるに伴いレンズ８ｂの周縁部８ｃの端面８ｃ’が天井内張り７の取付孔７ａの周縁部を僅かに圧縮する。
【００１５】
フック８ｆ、８ｇは、傾斜面をなす先端が係止部５ｆ、５ｇの先端に当たると脚部が本体部８ａ側に湾曲してこれら係止部５ｆ、５ｇを乗り越え、次いで、脚部が弾性により復帰し図６に示すように係止部８ｆ’、８ｇ’が、係止部５ｆ、５ｇと係合する。これにより、ルームランプ８がルームランプサポートブラケット５に係合保持され、且つルームランプサポートブラケット５との間に天井内張り７を僅かに圧縮した状態で挟持する。
【００１６】
ルームランプ８は、周縁部８ｃの端面８ｃ’とルームランプサポートブラケット５のフランジ５ｂとにより天井内張り７の取付孔７ａの周縁部を全周に亘り僅かに圧縮した状態で挟持することで、挟む力が発生し支持剛性が高くなると共に、横ずれが防止され、天井内張り７の表皮に傷が付くことが防止される。また、ルームランプサポートブラケット５のフランジ５ｂと係止部５ｆ、５ｇとの間に段差ｈを設けることで、ルームランプ８のフック８ｆ、８ｇの脚部の長さを長くすることができ、これにより脚部が撓みやすくなり、ルームランプサポートブラケット５への組付性が向上すると共に、係止部８ｆ’、８ｇ’の係止部５ｆ、５ｇへの引っ掛かりを大きく取ることができ、装着後における脱落を良好に防止することができる。
【００１７】
尚、上記実施例では、ルームランプサポートブラケット５の開口部に全周に亘りフランジ５ｂを設けた場合について記述したが、必ずしも全周に亘り設ける必要はなく、ルームランプ８のフック８ｆ、８ｇと係合する係止部５ｆ、５ｇを設けた前壁５ｄ、後壁５ｅ側に設けるだけでもよい。しかしながら、実施例のように全周に亘りフランジ５ｂを設けることで、天井内張り７の支持剛性をより向上させることができる。
【００１８】
図７は、ルームランプサポートブラケットの他の実施例を示す。図７に示すようにルームランプサポートブラケット９は、係止部９ｆ、９ｇとフランジ９ｂとの段差を無くして同一面に形成したものである。このように係止部９ｆ、９ｇとフランジ９ｂとの段差を無くすことでルームランプサポートブラケット９の型構造を簡素化することができる。
【００１９】
【発明の効果】
本発明によれば、ルームランプの各フックを天井内張りに遊嵌させて係止保持した状態でルームランプサポートブラケットに取り付け、ルームランプサポートブラケットと協働して天井内張りを挟持保持することにより、ルームランプサポートブラケットに天井内張りとルームランプを簡単に取り付けることが可能となり、且つ保持剛性も確保できる。また、ルームランプは、天井内張りにフックを介して係止保持即ち、サブアセンブリされていることで、ルームランプサポートブラケットへの取付時におけるバランスがよく、作業性が向上する。
【図面の簡単な説明】
【図１】本発明に係るルームランプの取付構造を適用した車両前部のルーフパネルへの天井内張りの取付状態を示す断面図である。
【図２】図１に示すルームランプサポートブラケットとルームランプとの組立斜視図である。
【図３】図２に示すルームランプサポートブラケットの矢線ＩＩＩ−ＩＩＩに沿う断面図である。
【図４】図２に示すルームランプの矢線ＩＶ−ＩＶに沿う断面図である。
【図５】図２に示すルームランプサポートブラケットに天井内張りと共にルームランプを取り付ける説明図である。
【図６】図５に示すルームランプサポートブラケットに天井内張りと共にルームランプを取り付けた状態を示す図である。
【図７】図２に示すルームランプサポートブラケットの他の実施例を示す断面図である。
【符号の説明】
１  ルーフパネル
５、９  ルームランプサポートブラケット
７  天井内張り
５ｂ  フランジ（当接部）
５ｆ、５ｇ  係止部
８  ルームランプ
８ｆ、８ｇ  フック
【図１】
0003617596.tif 000002
【図２】
0003617596.tif 000003
【図３】
0003617596.tif 000004
【図４】
0003617596.tif 000005
【図５】
0003617596.tif 000006
【図６】
0003617596.tif 000007
【図７】
0003617596.tif 000008